(57)【特許請求の範囲】
【請求項１】
筐体の外面パネルの一面に保守点検用の開口部が設けられ、その開口部に対してサービスパネルが、前記外面パネルの開口部側縁に設けられた上下複数の係止孔に係止爪を係止することにより、着脱自在に設けられている空気調和機の室外ユニットにおいて、
前記開口部側縁に沿って上下方向に延長して設けられる樋部材を備え、
前記樋部材が、前記開口部側縁の裏面側から前記複数の係止孔の裏面側を、前記筐体の内部の他の空間から隔離するように覆うことにより、前記係止孔からの浸入水を前記樋部材に沿って流下させ、少なくとも水浸入を嫌う内部部品に飛散される虞のない下方位置において排水可能な構成とされていることを特徴とする空気調和機の室外ユニット。
【請求項２】
前記樋部材は、前記係止孔の裏面側に、前記浸入水を流下させることができる任意の形状および大きさの空間を形成する部材とされていることを特徴とする請求項１に記載の空気調和機の室外ユニット。
【請求項３】
前記樋部材は、鋼板製もしくは樹脂板製とされている特徴とする請求項１または２に記載の空気調和機の室外ユニット。
【請求項４】
前記樋部材は、前記筐体の底面に形成されているドレンパンの直上位置まで延長されていることを特徴とする請求項１ないし３のいずれかに記載の空気調和機の室外ユニット。
【請求項５】
前記樋部材は、最下方に位置する前記係止孔の下部位置で閉鎖部材により下端部が閉鎖され、流下した浸入水が最下方に位置する前記係止孔から排水される構成とされている特徴とする請求項１ないし３のいずれかに記載の空気調和機の室外ユニット。
【請求項６】
前記閉鎖部材は、独立気泡の発泡樹脂材とされていることを特徴とする請求項５に記載の空気調和機の室外ユニット。
【請求項７】
筐体の外面パネルの一面に保守点検用の開口部が設けられ、その開口部に対してサービスパネルが、前記外面パネルの開口部側縁に設けられた上下複数の係止孔に係止爪を係止することにより、着脱自在に設けられている空気調和機の室外ユニットにおいて、
前記開口部側縁に沿って上下方向に延長して設けられる樋部材を備え、
前記樋部材が、前記開口部側縁の裏面側から前記複数の係止孔の裏面側を覆うことにより、前記係止孔からの浸入水を前記樋部材に沿って流下させ、少なくとも水浸入を嫌う内部部品に飛散される虞のない下方位置において排水可能な構成とされ、最下方に位置する前記係止孔の下部位置で閉鎖部材により下端部が閉鎖され、流下した浸入水が最下方に位置する前記係止孔から排水される構成とされていることを特徴とする空気調和機の室外ユニット。
【発明の詳細な説明】
【技術分野】
【０００１】
本発明は、筐体に設けられている保守点検用開口部に、サービスパネルが着脱自在に設けられている空気調和機の室外ユニットに関するものである。
【背景技術】
【０００２】
空気調和機の室外ユニットにおいて、筐体内部の機械室に設置されている圧縮機、制御ボックス、その他の室外側機器類を保守点検するため、機械室に面する筐体の外面パネルの一面に保守点検用の開口部を設け、その開口部に対してサービスパネルを着脱自在に設けたものが知られている。このサービスパネルは、一般にサービスパネル側の設けられている複数の係止爪を、筐体側のパネルに設けられている係止孔に係止した後、１〜２箇所程度をネジ止め固定することにより、筐体に対して着脱可能な構成とされている。
【０００３】
特許文献１，２に、その具体例が示されている。特許文献１には、バックパネルに設けられている複数箇所の係止孔に対して、サービスパネル側に設けられている係止爪を係止した後、１箇所を固定ネジでバックパネルに固定することにより、着脱自在としたものが開示されている。また、特許文献２には、前面パネルや側面パネルの側縁フランジの上下複数箇所に係止孔を設け、サービスパネル側の対応する複数箇所に設けた係止爪を各係止孔に挿入しながら、サービスパネルを２段階で上方に移動して各係止爪の上端部を各係合孔の上端縁に係止し、その位置でサービスパネルを筐体側に固定手段を介して着脱自在に保持する構成としたものが開示されている。
【先行技術文献】
【特許文献】
【０００４】
【特許文献１】特許第４５５９３２６号公報
【特許文献２】特開２０１２−７７７７号公報
【発明の概要】
【発明が解決しようとする課題】
【０００５】
上記の如く、サービスパネルは、固定方式を爪固定方式とすることにより、全てをネジ止め方式したものに比べ、着脱時の作業性を向上させることができる。しかし、爪固定方式とした場合、係止孔を係止爪よりも大きくせざるを得ないことから、サービスパネルを取り付け後において、係止孔の隙間から雨水が浸入する虞があった。特に、機械室は、熱交換器室に連通されており、ファンの吸引作用によって負圧となるため、係止孔から雨水が浸入し易い傾向があり、それが水浸入を嫌う電装品上に飛散することで、故障や制御不良等のトラブル発生の要因となることが懸念されていた。
【０００６】
そこで、爪の係止孔からの水浸入を防止するため、インシュレーションを貼り付けて隙間を塞ぐ等、孔毎に防水対策を施しているが、孔数が増加するに伴い、作業工数やコストが増大するだけでなく、インシュレーションの貼り付けによる防水対策は、接着面の剥がれや劣化のし易さ等から、恒久的対策とはなり得ず、孔数の増加に比例して水浸入のリスクが高まる等の課題を有していた。
【０００７】
本発明は、このような事情に鑑みてなされたものであって、爪固定方式としたサービスパネルにおいて、係止孔から雨水が浸入したとしても、内部部品に影響を与えずに処理できる、構成を簡素化、低コスト化できる恒久的な防水対策を施した空気調和機の室外ユニットを提供することを目的とする。
【課題を解決するための手段】
【０００８】
上記した課題を解決するために、本発明の空気調和機の室外ユニットは、以下の手段を採用している。
すなわち、本発明にかかる空気調和機の室外ユニットは、筐体の外面パネルの一面に保守点検用の開口部が設けられ、その開口部に対してサービスパネルが、前記外面パネルの開口部側縁に設けられた上下複数の係止孔に係止爪を係止することにより、着脱自在に設けられている空気調和機の室外ユニットにおいて、前記開口部側縁に沿って上下方向に延長して設けられる樋部材を備え、前記樋部材が、前記開口部側縁の裏面側から前記複数の係止孔の裏面側を、前記筐体の内部の他の空間から隔離するように覆うことにより、前記係止孔からの浸入水を前記樋部材に沿って流下させ、少なくとも水浸入を嫌う内部部品に飛散される虞のない下方位置において排水可能な構成とされていることを特徴とする。
【０００９】
本発明によれば、複数の係止孔が設けられている外面パネルの開口部側縁に沿って上下方向に延長して設けられた樋部材を備え、その樋部材が開口部側縁の裏面側から複数の係止孔の裏面側を覆うことにより、係止孔からの浸入水を樋部材に沿って流下させ、少なくとも水浸入を嫌う内部部品に飛散される虞のない下方位置において排水可能な構成とされているため、サービスパネルを着脱時の作業性が良好な爪固定方式としていることから、爪の係止孔から雨水が浸入する虞があるが、仮に雨水が浸入したとしても、その水を係止孔の裏面側に上下方向に延長して設けられている樋部材で受け、樋部材に沿って下方に流下させ、水浸入を嫌う電装部品等に対して飛散される虞のない下方位置において、筐体内部または外部に排水することができる。従って、係止孔からの浸入水が水浸入を嫌う電装部品等に飛散される事態を防止し、それに起因するトラブルを解消することができる。また、防水対策として上下複数の係止孔を跨ぐように、その裏面側に上下方向に延長された１つの樋部材を設けるだけでよく、防水構造の簡素化およびその組み付け作業の容易化を図り、低コスト化を実現して恒久的な防水対策とすることができる。
【００１０】
さらに、本発明の空気調和機の室外ユニットは、上記の空気調和機の室外ユニットにおいて、前記樋部材は、前記係止孔の裏面側に、前記浸入水を流下させることができる任意の形状および大きさの空間を形成する部材とされていることを特徴とする。
【００１１】
本発明によれば、樋部材が、係止孔の裏面側に、浸入水を流下させることができる任意の形状および大きさの空間を形成する部材とされているため、複数の係止孔から浸入した雨水を樋部材により形成された任意の形状、大きさの空間を経て下方へと流下させ、その下端から筐体内部または外部に排水することができる。また、樋部材によって形成される空間の形状、大きさは、複数の係止孔から浸入する微量の雨水を流下させるだけの単純でかつ小さなものでよく、従って、樋部材そのものの構成を単純化し、低コスト化することができる。
【００１２】
さらに、本発明の空気調和機の室外ユニットは、上述のいずれかの空気調和機の室外ユニットにおいて、前記樋部材は、鋼板製もしくは樹脂板製とされている特徴とする。
【００１３】
本発明によれば、樋部材が、鋼板製もしくは樹脂板製とされているため、インシュレーションのように接着面が剥がれ、あるいはそれ自身が経年劣化したりする心配がなく、従って、恒久的な防水対策とすることができ、時間の経過に伴う水浸入のリスクの高まり等をも解消することができる。
【００１４】
さらに、本発明の空気調和機の室外ユニットは、上述のいずれかの空気調和機の室外ユニットにおいて、前記樋部材は、前記筐体の底面に形成されているドレンパンの直上位置まで延長されていることを特徴とする。
【００１５】
本発明によれば、樋部材が、筐体の底面に形成されているドレンパンの直上位置まで延長されているため、複数の係止孔から浸入した雨水を樋部材によりドレンパン上に導いて排水処理することができる。従って、複数の係止孔から浸入した雨水が内部部品上や筐体外部に飛散するのを確実に防止し、適切に処理することができる。
【００１６】
さらに、本発明の空気調和機の室外ユニットは、上述のいずれかの空気調和機の室外ユニットにおいて、前記樋部材は、最下方に位置する前記係止孔の下部位置で閉鎖部材により下端部が閉鎖され、流下した浸入水が最下方に位置する前記係止孔から排水される構成とされている特徴とする。
【００１７】
本発明によれば、樋部材が、最下方に位置する係止孔の下部位置で閉鎖部材により下端部が閉鎖され、流下した浸入水が最下方に位置する係止孔から排水される構成とされているため、上方に位置する係止孔から浸入した雨水を樋部材に沿って最下方の係止孔位置まで流下させ、樋部材の下端部を閉鎖する閉鎖部材上に集め、そこから最下方の係止孔を介して筐体内部または外部に排水することにより、水の浸入を嫌う電装品上に飛散するのを防止することができる。また、樋部材の下端部を閉鎖してその内部空間の負圧化を抑えることにより、係止孔からの雨水の浸入を抑制することができる。これによって、樋部材を設ける範囲を最小限となし、その小型化、低コスト化を図ることができるとともに、防水効果を高めることができる。
【００１８】
さらに、本発明の空気調和機の室外ユニットは、上記の空気調和機の室外ユニットにおいて、前記閉鎖部材は、独立気泡の発泡樹脂材とされていることを特徴とする。
【００１９】
本発明によれば、閉鎖部材が、独立気泡の発泡樹脂材とされているため、樋部材の下端部を隙間が生じないように閉鎖することができるとともに、閉鎖部材自体による水の吸収を防止することができる。従って、樋部材の下端部の閉鎖効果を向上することができるとともに、水を吸収することによる閉鎖部材の劣化を防ぐことができる。
本発明にかかる空気調和機の室外ユニットは、筐体の外面パネルの一面に保守点検用の開口部が設けられ、その開口部に対してサービスパネルが、前記外面パネルの開口部側縁に設けられた上下複数の係止孔に係止爪を係止することにより、着脱自在に設けられている空気調和機の室外ユニットにおいて、前記開口部側縁に沿って上下方向に延長して設けられる樋部材を備え、前記樋部材が、前記開口部側縁の裏面側から前記複数の係止孔の裏面側を覆うことにより、前記係止孔からの浸入水を前記樋部材に沿って流下させ、少なくとも水浸入を嫌う内部部品に飛散される虞のない下方位置において排水可能な構成とされ、最下方に位置する前記係止孔の下部位置で閉鎖部材により下端部が閉鎖され、流下した浸入水が最下方に位置する前記係止孔から排水される構成とされていることを特徴とする。
【発明の効果】
【００２０】
本発明によると、サービスパネルを着脱時の作業性が良好な爪固定方式としていることから、爪の係止孔から雨水が浸入する虞があるが、仮に雨水が浸入したとしても、その水を係止孔の裏面側に上下方向に延長して設けられている樋部材で受け、樋部材に沿って下方に流下させ、水浸入を嫌う電装部品等に対して飛散される虞のない下方位置において筐体内部または外部に排水することができるため、係止孔からの浸入水が水の浸入を嫌う電装品等に飛散される事態を防止し、それに起因するトラブルを解消することができる。また、防水対策として上下複数の係止孔を跨ぐように、その裏面側に上下方向に延長された１つの樋部材を設けるだけでよく、防水構造の簡素化およびその組み付け作業の容易化を図り、低コスト化を実現して恒久的な防水対策とすることができる。
【図面の簡単な説明】
【００２１】
【図１】本発明の一実施形態に係る空気調和機の室外ユニットの斜視図である。
【図２】上記室外ユニットに設けられるサービスパネルおよびそれを固定するリアパネルの分解斜視図である。
【図３】図２に示すリアパネルの裏面側を見た斜視図である。
【図４】図３に示すリアパネルの上端部分の拡大図である。
【図５】図３示すリアパネルをＡ矢視方向から見た部分拡大図である。
【図６】図５示すリアパネルを上方から見た平面図である。
【発明を実施するための形態】
【００２２】
以下に、本発明の一実施形態について、図１ないし図６を参照して説明する。
図１には、本発明の一実施形態に係る空気調和機の室外ユニットの斜視図が示され、図２には、そのサービスパネルとそれを固定するリアパネルの分解斜視図が示されている。
室外ユニット１は、据え付け脚２を備えているベースパネル３、吹出しグリル４が上下２箇所に設けられているフロントパネル５、右側面の一部を含む構成するリアパネル６およびそれらの上面を覆う上面パネル７等の外面パネルにより覆われた構成の筐体８を備えている。なお、筐体８の背面および左側面の一部は、吸込みグリルとされている。
【００２３】
筐体８の内部は、熱交換室側と機械室側とに仕切られており、熱交換室側には、図示を省略した室外熱交換器、室外送風機等が配設され、また、機械室側には、圧縮機、制御ボックス、その他の室外側機器類が配設されている。そして、この機械室側に配設されている室外側機器類を保守点検するため、筐体８の前面から側面にかけてのフロントパネル５のコーナー部に保守点検用の開口部９が設けられ、その開口部９を覆うようにサービスパネル１０が着脱自在に設置されている。
【００２４】
サービスパネル１０は、図２に示されるように、前面側１０Ａと側面側１０ＢとがＬ字断面形状をなすように折り曲げられたパネルであり、前面側１０Ａの上下方向の略中央位置に取手部１１が設けられた構成とされている。また、このサービスパネル１０は、フロントパネル５およびリアパネル６の開口部側縁５Ａ，６Ａに対し、左右両端の上下方向の複数箇所（本例の場合、左右両端の各３箇所）において、側縁５Ａ，６Ａ側に設けられている係止孔１２にサービスパネル１０側の係止爪１３を係止することにより固定するとともに、上下端各１箇所をネジ１４で固定することにより、着脱自在とされている。
【００２５】
この爪固定構造について、図２に示されているサービスパネル１０とリアパネル６との結合部を参照して更に詳しく説明する。
リアパネル６の開口部側縁６Ａには、側面に対してクランク状に折り曲げられた所定幅の側縁部６Ｂと、重ね合わせ部６Ｃとが形成されており、側縁部６Ｂの上下方向の３箇所に等間隔で係止爪１３用の係止孔１２が設けられている。この係止孔１２は、上下方向に細長いスリット状孔で上半部がくさび状に漸次幅が狭くなる形状とされている。なお、このリアパネル６の背面側にも、サービスパネル１０の取手部１１と対応する位置に取手部１５が設けられている。
【００２６】
一方、サービスパネル１０の側面側１０Ｂの端縁には、リアパネル６側の３箇所の係止孔１２と対応するように上下方向の３箇所に等間隔で係止爪１３が設けられている。この係止爪１３は、サービスパネル１０の端縁から平行に突出された基部と、その基部から上方に所定寸法延長された爪部と、該爪部と端縁との間に設けられたリアパネル６の板厚相当の溝部とを備えた構成とされており、基部を含む爪部の高さ寸法がスリット状の係止孔１２の長さ寸法よりも所定寸法だけ小さくされている。
【００２７】
上記係止孔１２および係止爪１３は、サービスパネル１０側に設けられている上下複数の係止爪１３をリアパネル６側に設けられている複数の係止孔１２に挿入した後、サービスパネル１０を所定寸法（例えば、１０ｍｍ程度）だけ上方にスライドさせ、係止孔１２側のくさび状に漸次幅が狭くなっている上半部に対して、係止爪１３側に設けられているリアパネル６の板厚相当の溝部を係止することにより、両者を互いにガタがないように係止可能な構成とされている。
【００２８】
また、サービスパネル１０には、フロントパネル６との結合部と対応する位置の上下方向の３箇所にも上記同様の係止爪（図示省略）が設けられているとともに、フロントパネル６下方への延長部１０Ｃの側縁にも同様の係止爪１３が設けられており、フロントパネル６側に設けられている上記と同様の係止孔（図示省略）に対して、上記と同様にして係止され、互いにガタがないように係止可能な構成とされている。
【００２９】
サービスパネル１０は、その左右両端の上下方向の複数箇所に設けられている各係止爪１３を、フロントパネル５およびリアパネル６側に設けられている上下複数箇所の係止孔１２に係止した後、上下端各１箇所をネジ１４で固定することにより、着脱自在に組み付け可能な構成とされている。なお、このサービスパネル１０は、２箇所のネジ１４を取り外した後、下方にスライドさせ、各係止爪１３を係止孔１２から離脱することにより簡単に取り外すことができるようになっている。
【００３０】
さらに、本実施形態においては、室外ユニット１のフロントパネル５およびリアパネル６間の開口部９に設けられるサービスパネル１０を、爪固定方式により着脱自在に設置している。このため、係止爪１３が係止される係止孔１２の隙間から機械室側に雨水が浸入する虞があり、その雨水が機械室内に配設されている制御ボックスや電装品上に飛散する可能性がある。これを防止するため、以下の構成を採用している。
【００３１】
係止孔１２は、リアパネル６の開口部側縁６Ａの側縁部６Ｂに対して、上下方向の３箇所に設けられている。この複数の係止孔１２の裏面側を覆うように、上下方向に延長された樋部材１６を設け、リアパネル６の重ね合わせ部６Ｃに対して上下方向の複数箇所でネジ１７によりネジ止め固定している。この樋部材１６は、各係止孔１２から浸入した雨水がそのまま機械室内に向って飛散しないように集約し、樋部材１６に沿って下方へと流下させ、少なくとも水浸入を嫌う内部部品上に飛散する虞のない下方位置において排水可能とされている。
【００３２】
樋部材１６は、鋼板をＬ字形に成形したもの、あるいは樹脂材をＬ字形の板状に成形したものであり、Ｌ字形の短辺側１６Ａで複数の係止孔１２の裏面側を覆い、その長辺側１６Ｂをリアパネル６の重ね合わせ部６Ｃに重ね合わせてネジ止め固定されている。これにより、複数の係止孔１２の裏面側に、機械室内に対して遮蔽された適宜の大きさ、形状の空間１８を形成し、その空間１８を浸入した雨水を下方側に流下する流路としている。
【００３３】
なお、上記においては、リアパネル６の係止孔１２の裏面側に樋部材１６を設けた例について説明したが、必要に応じてフロントパネル５側の係止孔（図示省略）の裏面側に同様に樋部材を設けてもよいことはもちろんである。
【００３４】
以上に説明の構成により、本実施形態によれば、以下の作用効果を奏する。
室外ユニット１のサービスパネル１０は、その着脱によって筐体８内の機械室側に配設されている制御ボックスを始めとする室外側機器類の保守点検サービスを行うためのものであり、爪固定方式を採用することによって、ネジ止め箇所を最小限としてサービス性を向上させている。
【００３５】
このように、サービスパネル１０の設置を爪固定方式とした場合、雨天時等にサービスパネル１０側の係止爪１３が係止されるリアパネル６あるいはフロントパネル５側の係止孔１２の隙間から、雨水が浸入する虞がある。特に、機械室は、熱交換器室側に設けられている室外送風機の吸引作用により負圧となっていることから、パネル表面を伝う雨水が係止孔１２から内部に吸引されて浸入し易くなる。
【００３６】
然るに、本実施形態においては、複数の係止孔１２が設けられているリアパネル６あるいはフロントパネル５開口部側縁６Ａ，５Ａの裏面側に、複数の係止孔１２の裏面側を覆う上下方向に延長された樋部材１６を設け、係止孔１２からの浸入水を樋部材１６に沿って流下させ、少なくとも水浸入を嫌う電装部品等の内部部品に飛散されることのない下方位置において、筐体８の内部または外部に排水するようにしている。
【００３７】
このため、係止孔１２から浸入した雨水が、水の浸入を嫌う電装部品等に飛散される事態を防止し、水の浸入に起因する故障や制御不良等のトラブルの発生を解消することができる。また、防水対策として上下複数の係止孔１２を跨ぐように、その裏面側に上下方向に延長された１つの樋部材１６を設けるだけでよく、防水構造の簡素化およびその組み付け作業の容易化を図り、低コスト化を実現して恒久的な防水対策とすることができる。
【００３８】
また、樋部材１６が、係止孔１２の裏面側に、浸入水を流下させることができる任意の形状および大きさの空間１８を形成する部材とされているため、複数の係止孔１２から浸入した雨水を樋部材１６により形成された任意の形状、大きさの空間１８を経て下方へと流下させ、その下端から筐体８の内部または外部に排水することができる。また、樋部材１６によって形成される空間１８の形状、大きさは、複数の係止孔１２から浸入する微量の雨水を流下させるだけの単純でかつ小さなものでよく、従って、樋部材１６そのものの構成を単純化し、低コスト化することができる。
【００３９】
さらに、本実施形態においては、樋部材１６を鋼板製もしくは樹脂板製としている。このため、係止孔１２の隙間を、インシュレーションを貼り付けて塞いだ構成としたもののように、接着面が剥がれ、あるいはそれ自身が経年劣化したりする心配がなく、恒久的な防水対策とすることができる。従って、時間の経過に伴う水浸入のリスクの高まり等をも解消することができる。
【００４０】
［その他実施形態］
（１）上記実施形態では、樋部材１６に沿って流下された雨水を、水の浸入を嫌う電装部品等の内部部品に飛散されることのない下方位置において、筐体８の内部または外部に排水するようにしているが、樋部材１６の下端を筐体８の底面に形成されているドレンパンの直上位置まで延長して設けてもよい。
このように、樋部材１６をドレンパンの直上位置まで延長して設けることにより、複数の係止孔１２から浸入した雨水を、樋部材１６によりドレンパン上に導いて排水処理することができる。従って、複数の係止孔１２から浸入した雨水が内部部品上や筐体８の外部に飛散するのを確実に防止し、適切に処理することができる。
【００４１】
（２）樋部材１６を最下方に位置する係止孔１２の下部位置で閉鎖部材により下端部を閉鎖した構成となし、樋部材１６に沿って流下した浸入水を最下方に位置する係止孔１２から排水するようにしてもよい。
上記構成となし、上方に位置する係止孔１２から浸入した雨水を樋部材１６に沿って最下方の係止孔１２の位置まで流下させ、その雨水を樋部材１６の下端部を閉鎖する閉鎖部材上に集め、そこから最下方の係止孔１２を介して筐体８の内部または外部に排水することによっても、水の浸入を嫌う電装品上に雨水が飛散するのを防止することができる。
【００４２】
この場合、樋部材１６の下端部を閉鎖部材で閉鎖することにより、その内部空間１８の負圧化を抑えることができ、係止孔１２からの雨水の浸入を抑制することができる。これによって、樋部材１６を設ける範囲を最小限となし、その小型化、低コスト化を図ることができるとともに、防水効果を高めることができる。
【００４３】
（３）さらに、上記（２）における閉鎖部材を、独立気泡の発泡樹脂材により構成することができる。このように、閉鎖部材を独立気泡の発泡樹脂材とすることにより、樋部材１６の下端部を隙間が生じないように閉鎖することができるとともに、閉鎖部材自体による水の吸収を防止することができる。このため、樋部材１６の下端部の閉鎖効果を向上することができるとともに、水を吸収することによる閉鎖部材の劣化を防ぐことができる。
【００４４】
（４）上記の実施形態では、樋部材１６をＬ字断面形状とした鋼板製もしくは樹脂板製の部材としているが、Ｌ字断面形状のものに限らず、係止孔１２の裏面側に、浸入水を流下させることができる適宜大きさ、形状の空間１８を形成し得るものであれば、如何なる形状あるいは材質の部材を用いてもよく、例えば、剛性部材に限らず、柔軟性を有するような部材としてもよいことはもちろんである。
【００４５】
なお、本発明は、上記実施形態にかかる発明に限定されるものではなく、その要旨を逸脱しない範囲において、適宜変形が可能である。例えば、上記実施形態では、係止爪１３および係止孔１２の数を左右両端の上下方向に３箇所設けた例について説明したが、これら係止爪１３および係止孔１２の数は、サービスパネル１０の大きさ等に対応させて適宜増減すればよい。
【００４６】
また、上記実施形態では、筐体８の前面から側面にかけてのフロントパネル５のコーナー部に保守点検用の開口部９を設け、その開口部９にＬ字断面形状のサービスパネル１０を着脱自在に設置した例について説明したが、開口部９の位置は、必ずしもコーナー部である必要はなく、従って、サービスパネル１０もＬ字断面形状である必要はなく、開口部９を他の位置に設け、サービスパネル１０をそれに対応した形状のものとしてもよいことはもちろんである。
【符号の説明】
【００４７】
１  室外ユニット
５  フロントパネル（外面パネル）
５Ａ  開口部側縁
６  リアパネル（外面パネル）
６Ａ  開口部側縁
８  筐体
９  保守点検用の開口部
１０  サービスパネル
１２  係止孔
１３  係止爪
１６  樋部材
１８  空間
【図１】
0005968271.tif 000002
【図２】
0005968271.tif 000003
【図３】
0005968271.tif 000004
【図４】
0005968271.tif 000005
【図５】
0005968271.tif 000006
【図６】
0005968271.tif 000007